(57)【要約】【課題】表示装置の起動時間と表示制御装置の起動時間とが異なる構成において、表示装置が表示制御装置から映像データを受信していない状況で表示部の表示動作を開始してしまう事態の発生を未然に回避する。【解決手段】表示制御装置２は、映像データを表示装置３，４に送信する映像データ送信部２ｆ，２ｇと、映像データ送信部から表示装置への映像データの送信を開始させる送信開始タイミングを、表示装置が表示部の表示動作を開始する表示動作開始タイミングと同期させる第１同期制御部１２ａと、を備える。【選択図】図１
2020148888.tif 000002
【特許請求の範囲】
【請求項１】
映像データを表示装置に送信する映像データ送信部（２ｆ，２ｇ）と、
前記映像データ送信部から前記表示装置への映像データの送信を開始させる送信開始タイミングを、前記表示装置が前記表示部の表示動作を開始する表示動作開始タイミングと同期させる第１同期制御部（１２ａ）と、を備える表示制御装置。
【請求項２】
前記第１同期制御部は、前記表示装置から起動処理完了通知が受信されることで、前記送信開始タイミングを、前記表示動作開始タイミングと同期させる請求項１に記載した表示制御装置。
【請求項３】
起動要求を前記表示装置に送信する起動要求送信部（２ｆ，２ｇ）と、
起動要因が発生すると、起動要求を前記起動要求送信部から前記表示装置に送信させる起動要求送信制御部（１２ｂ）と、を備える請求項１又は２に記載した表示制御装置。
【請求項４】
表示制御装置から映像データを受信する映像データ受信部（３ｅ，４ｅ）と、
前記映像データ受信部により受信された映像データに対応する映像を表示する表示部（３ｆ，４ｆ）と、
前記表示部の表示動作を開始させる表示動作開始タイミングを、前記表示制御装置が映像データの送信を開始する送信開始タイミングと同期させる第２同期制御部（１３ａ）と、を備える表示装置。
【請求項５】
前記第２同期制御部は、起動処理完了通知を前記表示制御装置に送信させることで、前記表示動作開始タイミングを、前記送信開始タイミングと同期させる請求項４に記載した表示装置。
【請求項６】
前記表示制御装置から起動要求を受信する起動要求受信部（３ｅ）と、
起動要求が前記起動要求受信部により受信されると、起動処理を開始させる起動処理制御部（１３ｂ）と、を備える請求項４又は５に記載した表示装置。
【請求項７】
映像の表示以外の非表示機能を作動させる非表示機能作動部（１３ｃ）を備え、非表示機能を作動させる作動タイミングを、前記表示動作開始タイミングの前に設定する
前記第２同期制御部は、請求項４から６の何れか一項に記載した表示装置。
【請求項８】
映像データを表示装置に送信する表示制御装置（２）と、
前記表示制御装置から受信された映像データに対応する映像を表示する表示部を有する表示装置（３，４）と、を備え、
前記表示制御装置が前記表示装置に映像データの送信を開始する送信開始タイミングと、前記表示装置が前記表示部の表示動作を開始する表示動作開始タイミングとを同期させる表示制御システム。
【請求項９】
映像データを表示する表示部を備える表示装置に送信する表示制御装置（２）の制御部（２ａ）に、
前記表示装置への映像データの送信を開始させる送信開始タイミングを、前記表示装置が前記表示部の表示動作を開始する表示動作開始タイミングと同期させる第１同期制御手順を実行させる表示制御プログラム。
【請求項１０】
表示制御装置から映像データを受信し、その受信した映像データに対応する映像を表示する表示部を備える表示装置（３，４）の制御部（３ａ，４ａ）に、
前記表示部の表示動作を開始させる表示動作開始タイミングを、前記表示制御装置が映像データの送信を開始する送信開始タイミングと同期させる第２同期制御手順を実行させる表示プログラム。
【発明の詳細な説明】
【技術分野】
【０００１】
本発明は、表示制御装置、表示装置、表示制御システム、表示制御プログラム及び表示プログラムに関する。
【背景技術】
【０００２】
表示部を有する表示装置と、表示装置の表示部に表示される映像を制御する表示制御装置とを有する表示制御システムが供されている（例えば特許文献１参照）。
【先行技術文献】
【特許文献】
【０００３】
【特許文献１】特開２００４−２４９８３６号公報
【発明の概要】
【発明が解決しようとする課題】
【０００４】
この種の表示制御システムでは、表示制御装置から表示装置に映像データが送信されることで、その映像データに対応する映像が表示装置に表示される。例えば表示装置が車載のメータ装置であれば、表示制御装置からメータ装置に映像データが送信されることで、例えば燃料の残量や走行距離等の映像がメータ装置に表示される。
【０００５】
表示制御装置と表示装置とでは、そのソフトウェアの構成やハードウェアの処理能力等が異なることから、表示制御装置が起動処理を開始してから映像データを表示装置に送信可能になるまでの起動時間と、表示装置が起動処理を開始してから映像データに対応する映像を表示可能になるまでの起動時間とが異なる。そのため、例えばドアが開放される等の起動要因が発生し、表示制御装置と表示装置とが同時に起動処理を開始した場合に、表示制御装置の起動時間が表示装置の起動時間よりも長いと、表示装置では、表示制御装置から映像データを受信して映像を表示可能になっているが、表示制御装置では、映像データを表示装置に送信可能になっていない状況が発生する。この場合、表示装置では、表示部の表示動作を開始するが、表示制御装置から映像データを受信していないので、ユーザに違和感を与える虞がある。
【０００６】
本発明は、上記した事情に鑑みてなされたものであり、その目的は、表示装置の起動時間と表示制御装置の起動時間とが異なる構成において、表示装置が表示制御装置から映像データを受信していない状況で表示部の表示動作を開始してしまう事態の発生を未然に回避することができる表示制御装置、表示装置、表示制御システム、表示制御プログラム及び表示プログラムを提供することにある。
【課題を解決するための手段】
【０００７】
請求項１に記載した表示制御装置によれば、映像データ送信部（２ｆ，２ｇ）は、映像データを表示装置に送信する。第１同期制御部（１２ａ）は、映像データ送信部から表示装置への映像データの送信を開始させる送信開始タイミングを、表示装置が表示部の表示動作を開始する表示動作開始タイミングと同期させる。
【０００８】
映像データ送信部から表示装置への映像データの送信を開始させる送信開始タイミングを、表示装置が表示部の表示動作を開始する表示動作開始タイミングと同期させるようにした。表示装置の起動時間と表示制御装置の起動時間とが異なり、表示装置が表示制御装置から映像データを受信して映像を表示可能になっているが、表示制御装置が映像データを表示装置に送信可能になっていない状況が発生したとしても、表示制御装置が映像データを表示装置に送信可能になるまで、表示装置が表示部の表示動作を開始しないようにすることができる。これにより、表示装置が表示制御装置から映像データを受信していない状況で表示部の表示動作を開始してしまう事態の発生を未然に回避することができる。
【０００９】
請求項４に記載した表示装置によれば、映像データ受信部（３ｅ，４ｅ）は、表示制御装置から映像データを受信する。表示部（３ｆ，４ｆ）は、映像データ受信部により受信された映像データに対応する映像を表示する。第２同期制御部（１３ａ）は、表示部の表示動作を開始させる表示動作開始タイミングを、表示制御装置が映像データの送信を開始する送信開始タイミングと同期させる。
【００１０】
表示部の表示動作を開始させる表示動作開始タイミングを、表示制御装置が映像データの送信を開始する送信開始タイミングと同期させるようにした。請求項１に記載した表示制御装置と同様に、表示装置の起動時間と表示制御装置の起動時間とが異なり、表示装置が表示制御装置から映像データを受信して映像を表示可能になっているが、表示制御装置が映像データを表示装置に送信可能になっていない状況が発生したとしても、表示制御装置が映像データを表示装置に送信可能になるまで、表示装置が表示部の表示動作を開始しないようにすることができる。
【００１１】
請求項８に記載した表示制御システムによれば、表示制御装置（２）は、映像データを表示装置に送信する。表示装置（３，４）は、表示制御装置から受信された映像データに対応する映像を表示する表示部を有する。表示制御装置が表示装置に映像データの送信を開始する送信開始タイミングと、表示装置が表示部の表示動作を開始する表示動作開始タイミングとを同期させる。
【００１２】
表示制御装置が表示装置に映像データの送信を開始する送信開始タイミングと、表示装置が表示部の表示動作を開始する表示動作開始タイミングとを同期させるようにした。請求項１に記載した表示制御装置及び請求項４に記載した表示制御装置と同様に、表示装置の起動時間と表示制御装置の起動時間とが異なり、表示装置が表示制御装置から映像データを受信して映像を表示可能になっているが、表示制御装置が映像データを表示装置に送信可能になっていない状況が発生したとしても、表示制御装置が映像データを表示装置に送信可能になるまで、表示装置が表示部の表示動作を開始しないようにすることができる。
【図面の簡単な説明】
【００１３】
【図１】第１実施形態の全体構成を示す機能ブロック図
【図２】メータ装置を示す図
【図３】表示制御ＥＣＵの制御部及びメータ装置の制御部の構成を示す図
【図４】起動要因が発生した場合の処理の流れを示す図（その１）
【図５】起動要因が発生した場合の処理の流れを示す図（その２）
【図６】スリープ要因が発生した場合の処理の流れを示す図（その１）
【図７】スリープ要因が発生した場合の処理の流れを示す図（その２）
【図８】第２実施形態を示し、起動要因が発生した場合の処理の流れを示す図（その３）
【図９】起動要因が発生した場合の処理の流れを示す図（その４）
【図１０】第３実施形態を示し、起動要因が発生した場合の処理の流れを示す図（その５）
【図１１】起動要因が発生した場合の処理の流れを示す図（その６）
【図１２】第４実施形態を示し、スリープ要因が発生した場合の処理の流れを示す図（その３）
【図１３】スリープ要因が発生した場合の処理の流れを示す図（その４）
【発明を実施するための形態】
【００１４】
（第１実施形態）
以下、第１実施形態について図１から図７を参照して説明する。図１に示すように、表示制御システム１は、表示制御ＥＣＵ（Electronic Control Unit）２（表示制御装置）と、運転席の前方に配置されているメータ装置３（表示装置）と、運転席と助手席との間のセンターコンソールに配置されているセンターディスプレイ装置４（表示装置）とを有する。表示制御ＥＣＵ２は、表示制御の機能に加え、ＨＭＩ（Human Machine Interface）の機能を有し、ＨＣＵ（ＨＭＩControl Unit）として機能する。表示制御ＥＣＵ２は、メータ装置３と車載ネットワーク５を介してデータ通信可能に接続されていると共に、センターディスプレイ装置４とデータ通信線６を介してデータ通信可能に接続されている。又、表示制御ＥＣＵ２及びメータ装置３は、車両側ＥＣＵ７と車載ネットワーク５を介してデータ通信可能に接続されている。車載ネットワーク５は、例えばＣＡＮ（Controller Area Network）（登録商標）等である。
【００１５】
表示制御ＥＣＵ２は、映像データをメータ装置３及びセンターディスプレイ装置４に送信することで、メータ装置３及びセンターディスプレイ装置４における映像の表示を集中制御する。メータ装置３は、表示制御ＥＣＵ２から送信された映像データが受信されることで、例えば燃料の残量や走行距離等の安心安全に関する映像を表示する。センターディスプレイ装置４は、表示制御ＥＣＵ２から送信された映像データが受信されることで、例えばオーディオ情報やナビゲーション情報等のインフォテイメントに関する映像を表示する。
【００１６】
本実施形態では、表示制御ＥＣＵ２がメータ装置３とセンターディスプレイ装置４との２つの表示装置における映像の表示を集中制御する構成を例示しているが、表示制御ＥＣＵ２が１つの表示装置における映像の表示を制御する構成でも良いし、３つ以上の表示装置における映像の表示を集中制御する構成でも良い。表示制御ＥＣＵ２が映像の表示を制御する表示装置は、ヘッドアップディスプレイ装置、マルチインフォメーションディスプレイ装置、車室内に持ち込まれた例えばスマートフォンやタブレット等のモバイル機器等であっても良い。
【００１７】
図２に示すように、メータ装置３は、車速に連動して指針８ａが回転駆動するアナログ指針式の車速メータ８と、エンジンの回転数に連動して指針９ａが回転駆動するアナログ指針式のタコメータ９と、各種車両状態を表示するディスプレイ３ｆとを有する。ディスプレイ３ｆは、車速メータ８とタコメータ９との間に配置されている。メータ装置３が起動状態では、ディスプレイ３ｆは、燃料の残量、積算アイドリングストップ時間、積算節約燃料、ＯＤＯ距離（図２の例示では１２３４５６ｋｍ）、ＴＲＩＰ距離（図２の例示では１２３４．５ｋｍ）を映像として表示可能である。尚、メータ装置３は、車速や回転数も映像により表示可能な構成であっても良く、所謂フルディスプレイの構成であっても良い。
【００１８】
表示制御ＥＣＵ２は、制御部２ａと、電源回路２ｂと、第１通信ＩＦ部２ｃと、第２通信ＩＦ部２ｄと、ＧＤＣ（Graphic Display Controller）２ｅと、第１信号変換ＩＣ（Integrated Circuit）２ｆ（映像データ送信部、起動要求送信部）と、第２信号変換ＩＣ２ｇ（映像データ送信部、起動要求送信部）と、フラッシュＲＯＭ（Read Only Memory）２ｈとを有する。
【００１９】
制御部２ａは、ＭＰＵ（Micro Processing Unit）を主体として構成されており、制御プログラムを実行し、表示制御ＥＣＵ２の動作全般を制御する。制御部２ａが実行する制御プログラムには表示制御プログラムが含まれる。電源回路２ｂは、動作電源を表示制御ＥＣＵ２の内部の各機能ブロックに供給する。第１通信ＩＦ部２ｃは、車載ネットワーク５を介したメータ装置３との間のデータ通信を制御する。第２通信ＩＦ部２ｄは、データ通信線６を介したセンターディスプレイ装置４との間のデータ通信を制御する。ＧＤＣ２ｅは、フラッシュＲＯＭ２ｈに格納されているデータを読出し、その読出したデータを加工して映像データを生成する。
【００２０】
第１信号変換ＩＣ２ｆは、ＧＤＣ２ｅから映像データを入力すると、その入力した映像データをメータ装置３にＬＶＤＳ（Low Voltage Differential Signaling）通信により送信する。第２信号変換ＩＣ２ｇは、ＧＤＣ２ｅから映像データを入力すると、その入力した映像データをＬＶＤＳ通信によりセンターディスプレイ装置４に送信する。ＬＶＤＳ通信は、ＧＶＩＦ（Gigabit Video Interface）、ＧＭＳＬ（Gigabit Multimedia Serial Link）、ＨＤＭＩ（High-Definition Multimedia Interface）（登録商標）、Ｅｔｈｅｒｎｅｔ（登録商標）等である。
【００２１】
メータ装置３は、制御部３ａと、電源回路３ｂと、通信ＩＦ部３ｃと、スイッチＩＦ部３ｄと、信号変換ＩＣ３ｅ（映像データ受信部、起動要求受信部）と、ディスプレイ３ｆ（表示部）と、バックライト３ｇと、音声ＩＣ３ｈと、スピーカ３ｉと、ＩＦ部３ｊと、インジケータ３ｋとを有する。
【００２２】
制御部３ａは、ＭＰＵを主体として構成されており、制御プログラムを実行し、メータ装置３の動作全般を制御する。制御部３ａが実行する制御プログラムには表示プログラムが含まれる。電源回路３ｂは、動作電源をメータ装置３の内部の各機能ブロックに供給する。通信ＩＦ部３ｃは、車載ネットワーク５を介した表示制御ＥＣＵ２との間のデータ通信を制御する。スイッチＩＦ部３ｄは、ＯＤＯ／ＴＲＩＰスイッチ１０のオンオフを検知し、その検知結果を制御部３ａに出力する。信号変換ＩＣ３ｅは、表示制御ＥＣＵ２から送信された映像データを受信すると、その受信した映像データをメータ装置３の規格に準拠して変換し、その変換した映像データをディスプレイ３ｆに出力する。
【００２３】
ディスプレイ３ｆは、例えばＴＦＴ（Thin-Film-Transistor）液晶ディスプレイであり、信号変換ＩＣ３ｅから映像データを入力すると、その入力した映像データをデコードし、その映像データに対応する映像を表示する。バックライト３ｇは、制御部３ａから点灯指令を入力すると点灯し、制御部３ａから消灯指令を入力すると消灯する。音声ＩＣ３ｈは、制御部３ａから音声出力指令を入力すると、その入力した音声出力指令にしたがって音声をスピーカ３ｉから出力させる。ＩＦ部３ｊは、制御部３ａから表示指令を入力すると、その入力した表示指令にしたがってインジケータ３ｋを表示させる。
【００２４】
センターディスプレイ装置４は、制御部４ａと、電源回路４ｂと、通信ＩＦ部４ｃと、スイッチＩＦ部４ｄと、信号変換ＩＣ４ｅ（映像データ受信部、起動要求受信部）と、ディスプレイ４ｆ（表示部）と、バックライト４ｇと、ＩＦ部４ｈと、インジケータ４ｉとを有する。
【００２５】
制御部４ａは、ＭＰＵを主体として構成されており、制御プログラムを実行し、センターディスプレイ装置４の動作全般を制御する。制御部４ａが実行する制御プログラムには表示プログラムが含まれる。電源回路４ｂは、動作電源をセンターディスプレイ装置４の内部の各機能ブロックに供給する。通信ＩＦ部４ｃは、データ通信線６を介した表示制御ＥＣＵ２との間のデータ通信を制御する。スイッチＩＦ部４ｄは、外部スイッチ１１のオンオフを検知し、その検知結果を制御部４ａに出力する。信号変換ＩＣ４ｅは、表示制御ＥＣＵ２から送信された映像データを受信すると、その受信した映像データをセンターディスプレイ装置４の規格に準拠して変換し、その変換した映像データをディスプレイ４ｆに出力する。
【００２６】
ディスプレイ４ｆは、例えばＴＦＴ液晶ディスプレイであり、信号変換ＩＣ４ｅから映像データを入力すると、その入力した映像データをデコードし、その映像データに対応する映像を表示する。バックライト４ｇは、制御部４ａから点灯指令を入力すると点灯し、制御部４ａから消灯指令を入力すると消灯する。ＩＦ部４ｈは、制御部４ａから表示指令を入力すると、その入力した表示指令にしたがってインジケータ４ｉを表示させる。
【００２７】
表示制御ＥＣＵ２の第１信号変換ＩＣ２ｆとメータ装置３の信号変換ＩＣ３ｅとの間は同軸ケーブル又は差動ケーブルにより接続されている。表示制御ＥＣＵ２の第１信号変換ＩＣ２ｆは、映像データ、シリアルデータ（ＵＡＲＴ、Ｉ２Ｃ、ＳＰＩ等）、汎用出力データを高速のシリアル信号に変換し、その変換した高速のシリアル信号をメータ装置３の信号変換ＩＣ３ｅに送信する。メータ装置３の信号変換ＩＣ３ｅは、表示制御ＥＣＵ２の第１信号変換ＩＣ２ｆから高速のシリアル信号を受信すると、その受信した高速のシリアル信号を再変換し、映像データ、シリアルデータ、汎用出力データに分離して出力する。
【００２８】
又、メータ装置３の信号変換ＩＣ３ｅは、シリアルデータ、汎用出力データを低速のシリアル信号に変換し、その変換した低速のシリアル信号を表示制御ＥＣＵ２の第１信号変換ＩＣ２ｆに送信する。表示制御ＥＣＵ２の第１信号変換ＩＣ２ｆは、メータ装置３の信号変換ＩＣ３ｅから低速のシリアル信号を受信すると、その受信した低速のシリアル信号を再変換し、シリアルデータ、汎用出力データに分離して出力する。
【００２９】
表示制御ＥＣＵ２の第２信号変換ＩＣ２ｇとセンターディスプレイ装置４の信号変換ＩＣ４ｅとの間も同軸ケーブル又は差動ケーブルにより接続されており、表示制御ＥＣＵ２の第１信号変換ＩＣ２ｆとメータ装置３の信号変換ＩＣ３ｅとの関係と同様である。
【００３０】
メータ装置３及びセンターディスプレイ装置４がＧＤＣを有しておらず、メータ装置３及びセンターディスプレイ装置４における映像の表示が表示制御ＥＣＵ２により制御される構成では、前述したように以下に示す不具合が想定される。即ち、表示制御ＥＣＵ２とメータ装置３とが同時に起動処理を開始した場合に、表示制御ＥＣＵ２の起動時間がメータ装置３の起動時間がよりも長いと、メータ装置３では、表示制御ＥＣＵ２から映像データを受信して映像を表示可能になっているが、表示制御ＥＣＵ２では、映像データをメータ装置３に送信可能になっていない状況が発生する。そうなると、メータ装置３では、ディスプレイ３ｆの表示動作を開始するが、表示制御ＥＣＵ２から映像データを受信することができないので、映像を表示することができず、ユーザに違和感を与える虞がある。この点に鑑み、本実施形態では以下の構成を採用している。これ以降、表示制御ＥＣＵ２とメータ装置３との関係について説明するが、表示制御ＥＣＵ２とセンターディスプレイ装置４との関係についても同様である。
【００３１】
図３に示すように、表示制御ＥＣＵ２において、制御部２ａは、第１同期制御部１２ａと、起動要求送信制御部１２ｂとを有する。第１同期制御部１２ａは、メータ装置３から起動処理完了通知が第１信号変換ＩＣ２ｆにより受信されることで、第１信号変換ＩＣ２ｆからメータ装置３への映像データの送信を開始させる送信開始タイミングを、メータ装置３がディスプレイ３ｆの表示動作を開始する表示動作開始タイミングと同期させる。起動要求送信制御部１２ｂは、起動要因が発生すると、起動要求を第１信号変換ＩＣ２ｆからメータ装置３に送信させる。
【００３２】
メータ装置３において、制御部３ａは、第２同期制御部１３ａと、起動処理制御部１３ｂと、非表示機能作動部１３ｃとを有する。第２同期制御部１３ａは、起動処理完了通知を信号変換ＩＣ３ｅから表示制御ＥＣＵ２に送信させることで、ディスプレイ３ｆの表示動作を開始させる表示動作開始タイミングを、表示制御ＥＣＵ２が映像データの送信を開始する送信開始タイミングと同期させる。起動処理制御部１３ｂは、起動要求が信号変換ＩＣ３ｅにより受信されると、起動処理を開始させる。非表示機能作動部１３ｃは、映像の表示以外の非表示機能を作動させる。映像の表示以外の非表示機能とは、車速メータ８及びタコメータ９の指針動作、インジケータ３ｋの点灯、スピーカ３ｉの吹鳴等である。
【００３３】
次に、上記した構成の作用について図４から図７を参照して説明する。ここでは、起動要因が発生した場合に表示制御ＥＣＵ２及びメータ装置３が行う処理、スリープ要因が発生した場合に表示制御ＥＣＵ２及びメータ装置３が行う処理について説明する。
【００３４】
（１）起動要因が発生した場合
起動要因が発生した場合として、起動要因の発生を表示制御ＥＣＵ２及びメータ装置３の両方が検知する場合、起動要因の発生を表示制御ＥＣＵ２のみが検知する場合について説明する。
【００３５】
（１−１）起動要因の発生を表示制御ＥＣＵ２及びメータ装置３の両方が検知する場合
図４に示すように、表示制御ＥＣＵ２において、制御部２ａは、起動要因の発生を監視している状態から例えばドアが開放される等の起動要因の発生を検知すると、起動処理を開始し（Ａ１）、第１信号変換ＩＣ２ｆの通信回路の起動処理を開始する（Ａ２）。制御部２ａは、第１信号変換ＩＣ２ｆの通信回路の起動処理を完了すると、描画データを第１信号変換ＩＣ２ｆからメータ装置３に送信させる（Ａ３）。制御部２ａは、描画データを第１信号変換ＩＣ２ｆからメータ装置３に送信させると、メータ装置３からの起動処理完了通知の受信を待機する。描画データは、映像データとは異なり、メータ装置３がディスプレイ３ｆの起動処理及び初期設定を行うのに必要なデータである。
【００３６】
メータ装置３において、制御部３ａは、起動要因の発生を監視している状態から起動要因の発生を検知すると、起動処理を開始し（Ｂ１）、信号変換ＩＣ３ｅの通信回路の起動処理を開始する（Ｂ２）。制御部３ａは、信号変換ＩＣ３ｅの通信回路の起動処理を完了すると、表示制御ＥＣＵ２からの描画データの受信を待機する。制御部３ａは、表示制御ＥＣＵ２からの描画データの受信を信号変換ＩＣ３ｅにより検知すると（Ｂ３）、ディスプレイ３ｆの起動処理及び初期設定を開始する（Ｂ４）。制御部３ａは、ディスプレイ３ｆの起動処理及び初期設定を完了すると、起動処理完了通知を信号変換ＩＣ３ｅから表示制御ＥＣＵ２に送信させ（Ｂ５）、表示制御ＥＣＵ２と連携してディスプレイ起動処理を開始する（Ｂ６）。
【００３７】
表示制御ＥＣＵ２において、制御部２ａは、メータ装置３からの起動処理完了通知の受信を第１信号変換ＩＣ２ｆにより検知すると（Ａ４）、メータ装置３と連携してディスプレイ起動処理を開始する（Ａ５）。制御部２ａは、ディスプレイ起動処理を完了すると、第１信号変換ＩＣ２ｆからメータ装置３への映像データの送信を開始し（Ａ６、第１同期制御手順）、バックライト点灯要求を第１信号変換ＩＣ２ｆからメータ装置３に送信させ（Ａ７）、起動状態に移行する。
【００３８】
メータ装置３において、制御部３ａは、表示制御ＥＣＵ２からの映像データの受信を信号変換ＩＣ３ｅにより検知すると（Ｂ７）、ディスプレイ３ｆの表示動作を開始させ（Ｂ８、第２同期制御手順）、表示制御ＥＣＵ２からのバックライト点灯要求の受信を信号変換ＩＣ３ｅにより検知すると（Ｂ９）、バックライト３ｇを点灯させ（Ｂ１０）、起動状態に移行する。
【００３９】
即ち、上記した一連の処理では、メータ装置３が起動処理完了通知を表示制御ＥＣＵ２に送信し、表示制御ＥＣＵ２がメータ装置３からの起動処理完了通知を受信するようにした。メータ装置３と表示制御ＥＣＵ２とが起動処理完了通知の送受信を契機とし、表示制御ＥＣＵ２がメータ装置３に映像データの送信を開始する送信開始タイミングと、メータ装置３がディスプレイ３ｆの表示動作を開始する表示動作開始タイミングとを同期させることができる。
【００４０】
（１−２）起動要因の発生を表示制御ＥＣＵ２のみが検知する場合
図５に示すように、表示制御ＥＣＵ２において、制御部２ａは、起動要因の発生を監視している状態から起動要因の発生を検知すると、起動処理を開始し（Ａ１１）、起動要求を第１信号変換ＩＣ２ｆからメータ装置３に送信させる（Ａ１２）。制御部２ａは、起動要求を第１信号変換ＩＣ２ｆからメータ装置３に送信させると、上記したステップＡ２〜Ａ７を行う。
【００４１】
メータ装置３において、制御部３ａは、表示制御ＥＣＵ２からの起動要求の受信を待機している状態から表示制御ＥＣＵ２からの起動要求の受信を信号変換ＩＣ３ｅにより検知すると、上記したステップＢ１〜Ｂ１０を行う。
【００４２】
この場合も、メータ装置３が起動処理完了通知を表示制御ＥＣＵ２に送信し、表示制御ＥＣＵ２がメータ装置３からの起動処理完了通知を受信するようにした。メータ装置３と表示制御ＥＣＵ２とが起動処理完了通知の送受信を契機とし、表示制御ＥＣＵ２がメータ装置３に映像データの送信を開始する送信開始タイミングと、メータ装置３がディスプレイ３ｆの表示動作を開始する表示動作開始タイミングとを同期させることができる。
【００４３】
（２）スリープ要因が発生した場合
スリープ要因が発生した場合として、スリープ要因の発生を表示制御ＥＣＵ２及びメータ装置３の両方が検知する場合、スリープ要因の発生を表示制御ＥＣＵ２のみが検知する場合について説明する。
【００４４】
（２−１）スリープ要因の発生を表示制御ＥＣＵ２及びメータ装置３の両方が検知する場合
図６に示すように、表示制御ＥＣＵ２において、制御部２ａは、スリープ要因の発生を監視している状態からスリープ要因の発生を検知すると、バックライト消灯要求を第１信号変換ＩＣ２ｆからメータ装置３に送信させる（Ａ２１）。制御部２ａは、バックライト消灯要求を第１信号変換ＩＣ２ｆからメータ装置３に送信させると、メータ機能終了処理を開始し（Ａ２２）、メータ機能終了処理を完了すると、ディスプレイ終了処理要求を第１信号変換ＩＣ２ｆからメータ装置３に送信させる（Ａ２３）。制御部２ａは、ディスプレイ終了処理要求を第１信号変換ＩＣ２ｆからメータ装置３に送信させると、メータ装置３からのメータ装置終了通知の受信を待機する。
【００４５】
メータ装置３において、制御部３ａは、スリープ要因の発生を監視している状態からスリープ要因の発生を検知すると、表示制御ＥＣＵ２からのバックライト消灯要求の受信を待機する。制御部３ａは、表示制御ＥＣＵ２からのバックライト消灯要求の受信を信号変換ＩＣ３ｅにより検知すると（Ｂ２１）、バックライト３ｇを消灯させ（Ｂ２２）、ディスプレイ以外の機能をオフさせる（Ｂ２３）。制御部３ａは、表示制御ＥＣＵ２からのディスプレイ終了処理要求の受信を信号変換ＩＣ３ｅにより検知すると（Ｂ２４）、ディスプレイ終了を設定し（Ｂ２５）、メータ装置終了通知を信号変換ＩＣ３ｅから表示制御ＥＣＵ２に送信させ（Ｂ２６）、表示制御ＥＣＵ２と連携してディスプレイ終了処理を開始する（Ｂ２７）。
【００４６】
表示制御ＥＣＵ２において、制御部２ａは、メータ装置３からメータ装置終了通知の受信を第１信号変換ＩＣ２ｆにより検知すると（Ａ２４）、メータ装置３と連携してディスプレイ終了処理を開始する（Ａ２５）。制御部２ａは、ディスプレイ終了処理を完了すると、第１信号変換ＩＣ２ｆからメータ装置３への映像データの送信終了を示す送信終了通知を第１信号変換ＩＣ２ｆからメータ装置３に送信させ（Ａ２６）、スリープ状態に移行する。
【００４７】
メータ装置３において、制御部３ａは、表示制御ＥＣＵ２からの送信終了通知の受信を信号変換ＩＣ３ｅにより検知すると（Ｂ２８）、ディスプレイ３ｆの機能をオフさせ（Ｂ２９）、スリープ状態に移行する。
【００４８】
（２−２）スリープ要因の発生を表示制御ＥＣＵ２のみが検知する場合
図７に示すように、表示制御ＥＣＵ２において、制御部２ａは、スリープ要因の発生を監視している状態からスリープ要因の発生を検知すると、バックライト消灯要求を第１信号変換ＩＣ２ｆからメータ装置３に送信させる（Ａ２１）。制御部２ａは、バックライト消灯要求を第１信号変換ＩＣ２ｆからメータ装置３に送信させると、上記したステップＡ２２〜Ａ２６を行う。
【００４９】
メータ装置３において、制御部３ａは、表示制御ＥＣＵ２からのバックライト消灯要求の受信を待機している状態から表示制御ＥＣＵ２からのバックライト消灯要求の受信を信号変換ＩＣ３ｅにより検知すると、上記したステップＢ２２〜Ｂ２９を行う。
【００５０】
以上に説明したように第１実施形態によれば、次に示す作用効果を得ることができる。表示制御システム１において、メータ装置３が起動処理完了通知を表示制御ＥＣＵ２に送信し、表示制御ＥＣＵ２がメータ装置３からの起動処理完了通知を受信し、メータ装置３と表示制御ＥＣＵ２とが起動処理完了通知の送受信を契機とし、表示制御ＥＣＵ２からメータ装置３への映像データの送信を開始させる送信開始タイミングと、メータ装置３がディスプレイ３ｆの表示動作を開始する表示動作開始タイミングとを同期させるようにした。
【００５１】
メータ装置３の起動時間と表示制御ＥＣＵ２の起動時間とが異なり、メータ装置３が表示制ＥＣＵ２から映像データを受信して映像を表示可能になっているが、表示制御ＥＣＵ２が映像データをメータ装置３に送信可能になっていない状況が発生したとしても、表示制御ＥＣＵ２が映像データをメータ装置３に送信可能になるまで、メータ装置３が表示動作を開始しないようにすることができる。これにより、メータ装置３が表示制御ＥＣＵ２から映像データを受信していない状況でディスプレイ３ｆの表示動作を開始してしまう事態の発生を未然に回避することができる。
【００５２】
又、起動要因の発生を表示制御ＥＣＵ２のみが検知する場合に、メータ装置３が表示制御ＥＣＵ２からの起動要求の受信を検知すると、起動処理を開始するようにした。起動要因の発生をメータ装置３が検知不可能な構成でも、表示制御ＥＣＵ２が起動要求をメータ装置３に送信することで、表示制御ＥＣＵ２が起動処理を開始することに追従してメータ装置３も起動処理を開始することができる。
【００５３】
又、スリープ要因の発生を表示制御ＥＣＵ２のみが検知する場合に、表示制御ＥＣＵ２がバックライト消灯要求の受信を検知すると、スリープ状態に移行するようにした。スリープ要因の発生をメータ装置３が検知不可能な構成でも、表示制御ＥＣＵ２がバックライト消灯要求をメータ装置３に送信することで、表示制御ＥＣＵ２がスリープ状態に移行することに追従してメータ装置３もスリープ状態に移行することができる。
【００５４】
（第２実施形態）
次に、第２実施形態について図８及び図９を参照して説明する。尚、上記した第１実施形態と同一部分については説明を省略し、異なる部分について説明する。第２実施形態では、メータ装置３において、映像の表示以外の非表示機能の作動処理を行う。
【００５５】
図８及び図９に示すように、メータ装置３において、制御部３ａは、信号変換ＩＣ３ｅの通信回路の起動処理を完了すると、映像の表示以外の非表示機能の作動処理を開始し、ディスプレイ以外の機能をオンさせる（Ｂ３１）。即ち、制御部３ａは、車速メータ８及びタコメータ９の指針動作、インジケータ３ｋの点灯、スピーカ３ｉの吹鳴等の機能を作動させる。ディスプレイ以外の機能をオンさせると、表示制御ＥＣＵ２からの描画データの受信を待機する。
【００５６】
以上に説明したように第２実施形態によれば、上記した第１実施形態と同様に、表示制御ＥＣＵ２からメータ装置３への映像データの送信を開始させる送信開始タイミングと、メータ装置３がディスプレイ３ｆの表示動作を開始する表示動作開始タイミングとを同期させるようにしたことで、第１実施形態と同様の作用効果を得ることができる。又、ディスプレイ３ｆの表示動作を開始させる前に、映像の表示以外の非表示機能の作動処理を開始し、ディスプレイ以外の機能をオンさせるようにした。車速メータ８及びタコメータ９の指針動作、インジケータ３ｋの点灯、スピーカ３ｉの吹鳴等の車両側からの情報により独自に動作する機能の作動を、ディスプレイ３ｈの表示動作に関係なく開始させることができ、法規案件に関わるような機能を即座に作動させることができる。
【００５７】
（第３実施形態）
次に、第３実施形態について図１０及び図１１を参照して説明する。尚、上記した第１実施形態と同一部分については説明を省略し、異なる部分について説明する。第３実施形態では、メータ装置３において、起動処理完了通知を表示制御ＥＣＵ２に送信した後に、ディスプレイ３ｆの起動処理及び初期設定を行う。
【００５８】
図１０及び図１１に示すように、表示制御ＥＣＵ２において、制御部２ａは、第１信号変換ＩＣ２ｆの通信回路の起動処理を完了すると、メータ装置３からの起動処理完了通知の受信を待機する。
【００５９】
メータ装置３において、制御部３ａは、信号変換ＩＣ３ｅの通信回路の起動処理を完了すると、起動処理完了通知を信号変換ＩＣ３ｅから表示制御ＥＣＵ２に送信させ（Ｂ５）、表示制御ＥＣＵ２からの描画データの受信を待機する。
【００６０】
表示制御ＥＣＵ２において、制御部２ａは、メータ装置３からの起動処理完了通知の受信を第１信号変換ＩＣ２ｆにより検知すると（Ａ４）、描画データを第１信号変換ＩＣ２ｆからメータ装置３に送信させ（Ａ３）、メータ装置３と連携してディスプレイ起動処理を開始する（Ａ５）。
【００６１】
メータ装置３において、制御部３ａは、表示制御ＥＣＵ２からの描画データの受信を信号変換ＩＣ３ｅにより検知すると（Ｂ３）、ディスプレイ３ｆの起動処理及び初期設定を開始する（Ｂ４）。制御部３ａは、ディスプレイ３ｆの起動処理及び初期設定を完了すると、表示制御ＥＣＵ２と連携してディスプレイ起動処理を開始する（Ｂ６）。
【００６２】
以上に説明したように第３実施形態によれば、上記した第１実施形態と同様に、表示制御ＥＣＵ２からメータ装置３への映像データの送信を開始させる送信開始タイミングと、メータ装置３がディスプレイ３ｆの表示動作を開始する表示動作開始タイミングとを同期させるようにしたことで、第１実施形態と同様の作用効果を得ることができる。
【００６３】
（第４実施形態）
次に、第４実施形態について図１２及び図１３を参照して説明する。尚、上記した第１実施形態と同一部分については説明を省略し、異なる部分について説明する。第４実施形態では、メータ装置３において、表示制御ＥＣＵ２からの送信終了通知の受信を信号変換ＩＣ３ｅにより検知すると、全ての機能をオフさせる。
【００６４】
図１２及び図１３に示すように、メータ装置３において、制御部３ａは、表示制御ＥＣＵ２からのバックライト消灯要求の受信を信号変換ＩＣ３ｅにより検知すると（Ｂ２１）、バックライト３ｇを消灯させ（Ｂ２２）、ディスプレイ以外の機能をオフさせず、表示制御ＥＣＵ２からのディスプレイ終了処理要求の受信を待機する。これ以降、制御部３ａは、表示制御ＥＣＵ２からの送信終了通知の受信を信号変換ＩＣ３ｅにより検知すると（Ｂ２８）、全ての機能をオフさせ（Ｂ４１）、スリープ状態に移行する。
【００６５】
以上に説明したように第４実施形態によれば、上記した第１実施形態と同様に、表示制御ＥＣＵ２からメータ装置３への映像データの送信を開始させる送信開始タイミングと、メータ装置３がディスプレイ３ｆの表示動作を開始する表示動作開始タイミングとを同期させるようにしたことで、第１実施形態と同様の作用効果を得ることができる。又、ディスプレイの機能をオフさせると同時にディスプレイ以外の機能をオフさせることで、ディスプレイ以外の機能をオンさせておく期間を長く維持することができる。
【００６６】
（その他の実施形態）
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
【００６７】
メータ装置３のディスプレイ３ｆ及びセンターディスプレイ装置４のディスプレイ４ｆとして、バックライト３ｇ，４ｇを必要とするＴＦＴ液晶ディスプレイを例示したが、バックライト３ｇ，４ｇを必要としない有機ＥＬ（Electro Luminescence）ディスプレイを採用する構成でも良い。
【００６８】
本開示に記載の制御部及びその手法は、コンピュータプログラムにより具体化された一つ乃至は複数の機能を実行するようにプログラムされたプロセッサ及びメモリを構成することにより提供された専用コンピュータにより実現されても良い。或いは、本開示に記載の制御部及びその手法は、一つ以上の専用ハードウェア論理回路によりプロセッサを構成することにより提供された専用コンピュータにより実現されても良い。若しくは、本開示に記載の制御部及びその手法は、一つ乃至は複数の機能を実行するようにプログラムされたプロセッサ及びメモリと一つ以上のハードウェア論理回路により構成されたプロセッサとの組み合わせにより構成された一つ以上の専用コンピュータにより実現されても良い。又、コンピュータプログラムは、コンピュータにより実行されるインストラクションとして、コンピュータ読み取り可能な非遷移有形記録媒体に記憶されていても良い。
【符号の説明】
【００６９】
図面中、１は表示制御システム、２は表示制御ＥＣＵ（表示制御装置）、３はメータ装置（表示装置）、４はセンターディスプレイ装置（表示装置）、２ａは制御部、２ｆ，２ｇは信号変換ＩＣ（映像データ送信部、起動要求送信部）、３ａは制御部、３ｅは信号変換ＩＣ（映像データ受信部、起動要求受信部）、３ｆはディスプレイ（表示部）、４ａは制御部、４ｅは信号変換ＩＣ（映像データ受信部、起動要求受信部）、４ｆはディスプレイ（表示部）、１２ａは第１同期制御部、１２ｂは起動要求送信制御部、１３ａは第２同期制御部、１３ｂは起動処理制御部、１３ｃは非表示機能作動部である。
【図１】
2020148888.tif 000003
【図２】
2020148888.tif 000004
【図３】
2020148888.tif 000005
【図４】
2020148888.tif 000006
【図５】
2020148888.tif 000007
【図６】
2020148888.tif 000008
【図７】
2020148888.tif 000009
【図８】
2020148888.tif 000010
【図９】
2020148888.tif 000011
【図１０】
2020148888.tif 000012
【図１１】
2020148888.tif 000013
【図１２】
2020148888.tif 000014
【図１３】
2020148888.tif 000015